(57)【要約】【課題】表示情報と対応付けられた画像情報を最適な表示条件で表示できる表示端末装置を提供することを目的とする。【解決手段】  ＣＰＵ２１は、スライドショーの選択指示があったかどうかを判断し（Ｓ１０１）、有ると判断した場合（Ｓ１０１：ＹＥＳ）、切替時間設定処理を実行する（Ｓ１０２）。そしてＣＰＵ２１は画像情報を表示する処理を実行する（Ｓ１０３）。次に対応する表示情報が有るかどうかを判断し（Ｓ１１０）、有ると判断した場合、表示情報を再生する処理を実行し（Ｓ１０４）、切替時間を経過したかどうかを判断する（Ｓ１０５）。経過したと判断した場合（Ｓ１０５：ＹＥＳ）、次に表示すべき画像情報があるかどうかを判断し（Ｓ１０６）、有ると判断した場合は（Ｓ１０６：ＹＥＳ）、ステップＳ１０３の処理へ戻り、次に表示すべき画像情報に表示を切替える。【選択図】図８
2011077613.tif 000002
【特許請求の範囲】
【請求項１】
画像情報を表示する表示領域を備えた表示手段と、複数の前記画像情報を一定時間毎に切替えながら前記表示手段への表示を制御する表示制御手段を備えた表示端末装置において、
前記画像情報に付加して表示する情報である表示情報と、前記表示情報に対応付けられた前記画像情報を取得する画像情報取得手段と、
前記画像情報を前記表示手段に表示中に、前記表示情報を再生表示する表示情報再生手段と、
前記画像情報取得手段により取得した前記画像情報に対応付けられた前記表示情報に基づいて、前記表示情報再生手段により前記表示情報を再生表示しながら前記表示手段に表示する前記画像情報を、別の前記画像情報に切替えるまでの切替時間を制御する表示切替制御手段と、
を備えることを特徴とする表示端末装置。  
【請求項２】
前記表示情報は、利用者により入力された情報である入力情報と、前記入力情報を入力した時の時間情報とが対応付けられており、
前記表示切替制御手段は、前記入力情報の入力が開始された時間から、入力が終了した時間までの間を入力処理時間とし、前記入力処理時間を前記切替時間とすることを特徴とする請求項１に記載の表示端末装置。
【請求項３】
前記表示端末装置は前記入力処理時間が所定時間以上かどうかを判断する判断手段をさらに備え、
前記表示切替制御手段は、前記判断手段により前記入力処理時間が所定時間以上であると判断した場合、前記入力処理時間を前記切替時間とすることを特徴とする請求項２に記載の表示端末装置。
【請求項４】
前記画像情報取得手段は、前記利用者による手書きで入力された情報を前記表示情報として対応付けられた前記画像情報を取得することを特徴とする請求項２乃至３のいずれかに記載の表示端末装置。
【請求項５】
前記表示情報再生手段は、前記表示情報を入力した時の前記時間情報に基づいて、前記表示情報が入力された順に前記表示手段に再生表示することを特徴とする請求項２乃至４のいずれかに記載の表示端末装置。  
【請求項６】
画像情報を表示する表示領域を備えた表示手段と、複数の前記画像情報を一定時間毎に切替えながら前記表示手段への表示を制御する表示制御手段を備えた表示端末装置にて処理する画像表示制御方法において、
前記画像情報に付加して表示する情報である表示情報と、前記表示情報に対応付けられた前記画像情報を取得する画像情報取得ステップと、
前記画像情報を前記表示手段に表示中に、前記表示情報を再生表示する表示情報再生ステップと、
前記画像情報取得ステップにより取得した前記画像情報に対応付けられた前記表示情報に基づいて、前記表示情報再生ステップにより前記表示情報を再生表示しながら前記表示手段に表示する前記画像情報を、別の前記画像情報に切替えるまで切替時間を制御する表示切替制御ステップと、
を処理することを特徴とする画像表示制御方法。
【請求項７】
画像情報を表示する表示領域を備えた表示手段と、複数の前記画像情報を一定時間毎に切替えながら前記表示手段への表示を制御する表示制御手段を備えた表示端末装置を実行させる画像表示制御プログラムにおいて、
前記画像情報に付加して表示する情報である表示情報と、前記表示情報に対応付けられた前記画像情報を取得する画像情報取得ステップと、
前記画像情報を前記表示手段に表示中に、前記表示情報を再生表示する表示情報再生ステップと、
前記画像情報取得ステップにより取得した前記画像情報に対応付けられた前記表示情報に基づいて、前記表示情報再生ステップにより前記表示情報を再生表示しながら前記表示手段に表示する前記画像情報を、別の前記画像情報に切替えるまで切替時間を制御する表示切替制御ステップと、
を前記表示端末装置で実行させるための画像表示制御プログラム。
【発明の詳細な説明】
【技術分野】
【０００１】
本発明は、表示情報と対応付けられた画像情報を表示する表示端末装置、画像表示制御方法、画像表示制御プログラムに関する。
【背景技術】
【０００２】
所定の記憶媒体に記憶された画像を読み出し、その画像を表示手段に表示させるデジタルフォトフレームが広く一般に用いられている。また、上述のようなデジタルフォトフレーム或いは一般的な表示装置において、複数の画像を所定の時間間隔で断続的に切替表示させるスライドショー表示制御を実行し得るものが知られている。さらに、スライドショーの再生が単調で退屈にならないように、設定された条件で再生速度、再生時間を変化させながらスライドショーの表示制御を行う再生装置も開示されている。（特許文献１）
【先行技術文献】
【特許文献】
【０００３】
【特許文献１】特開２００７−６７７６７号公報
【発明の概要】
【発明が解決しようとする課題】
【０００４】
しかしながら、前記記載の再生装置では、スライドショーの再生速度や再生時間を予め装置にそれぞれ設定する必要があり、その設定操作が煩わしいという問題がある。また、スライドショーで表示する画像に、タッチパネル等の手書き入力手段を備えた装置を用いて、利用者により画像にコメント等の手書き入力情報が追加されている場合、その手書き入力情報の再生条件に適した条件で、画像をスライドショーにて表示制御したいという要望に対して、現状ではそれらを実現する技術が考案されていないという問題点もある。  
【０００５】
本発明は、上記問題点を解決するためになされたものであり、画像情報に付加されている入力情報である表示情報を、表示中の画像情報に重ねて再生表示する場合、複数の画像情報と表示情報を、表示情報の入力条件に適した切替時間にて表示切替することができる表示端末装置を提供することを目的とする。
【課題を解決するための手段】
【０００６】
上記目的を達成するために、請求項１に係る発明の表示端末装置は、画像情報を表示する表示領域を備えた表示手段と、複数の前記画像情報を一定時間毎に切替えながら前記表示手段への表示を制御する表示制御手段を備えた表示端末装置において、前記画像情報に付加して表示する情報である表示情報と、前記表示情報に対応付けられた前記画像情報を取得する画像情報取得手段と、前記画像情報を前記表示手段に表示中に、前記表示情報を再生表示する表示情報再生手段と、前記画像情報取得手段により取得した前記画像情報に対応付けられた前記表示情報に基づいて、前記表示情報再生手段により前記表示情報を再生表示しながら前記表示手段に表示する前記画像情報を、別の前記画像情報に切替えるまでの切替時間を制御する表示切替制御手段とを備えることを特徴とする。
【０００７】
請求項２に係る発明の表示端末装置では、請求項１に記載の発明の構成に加え、前記表示情報は、利用者により入力された情報である入力情報と、前記入力情報を入力した時の時間情報とが対応付けられており、前記表示切替制御手段は、前記入力情報の入力が開始された時間から、入力が終了した時間までの間を入力処理時間とし、前記入力処理時間を前記切替時間とすることを特徴とする。
【０００８】
請求項３に係る発明の表示端末装置では、請求項２に記載の発明の構成に加え、前記表示端末装置は前記入力処理時間が所定時間以上かどうかを判断する判断手段をさらに備え、前記表示切替制御手段は、前記判断手段により前記入力処理時間が所定時間以上であると判断した場合、前記入力処理時間を前記切替時間とすることを特徴とする。
【０００９】
請求項４に係る発明の表示端末装置では、請求項２乃至３のいずれかに記載の発明の構成に加え、前記画像情報取得手段は、前記利用者による手書きで入力された情報を前記表示情報として対応付けられた前記画像情報を取得することを特徴とする。
【００１０】
請求項５に係る発明の表示端末装置では、請求項２乃至４のいずれかに記載の発明の構成に加え、前記表示情報再生手段は、前記表示情報を入力した時の前記時間情報に基づいて、前記表示情報が入力された順に前記表示手段に再生表示することを特徴とする。
【００１１】
請求項６に係る発明においては、画像情報を表示する表示領域を備えた表示手段と、複数の前記画像情報を一定時間毎に切替えながら前記表示手段への表示を制御する表示制御手段を備えた表示端末装置にて処理する画像表示制御方法であって、前記画像情報に付加して表示する情報である表示情報と、前記表示情報に対応付けられた前記画像情報を取得する画像情報取得ステップと、前記画像情報を前記表示手段に表示中に、前記表示情報を再生表示する表示情報再生ステップと、前記画像情報取得ステップにより取得した前記画像情報に対応付けられた前記表示情報に基づいて、前記表示情報再生ステップにより前記表示情報を再生表示しながら前記表示手段に表示する前記画像情報を、別の前記画像情報に切替えるまで切替時間を制御する表示切替制御ステップとを処理することを特徴とする。
【００１２】
請求項７に係る発明においては、画像情報を表示する表示領域を備えた表示手段と、複数の前記画像情報を一定時間毎に切替えながら前記表示手段への表示を制御する表示制御手段を備えた表示端末装置を実行させる画像表示制御プログラムであって、前記画像情報に付加して表示する情報である表示情報と、前記表示情報に対応付けられた前記画像情報を取得する画像情報取得ステップと、前記画像情報を前記表示手段に表示中に、前記表示情報を再生表示する表示情報再生ステップと、前記画像情報取得ステップにより取得した前記画像情報に対応付けられた前記表示情報に基づいて、前記表示情報再生ステップにより前記表示情報を再生表示しながら前記表示手段に表示する前記画像情報を、別の前記画像情報に切替えるまで切替時間を制御する表示切替制御ステップとを前記表示端末装置で実行させることを特徴とする。
【発明の効果】
【００１３】
請求項１に係る発明の表示端末装置では、画像情報を表示する表示領域を備えた表示手段と、複数の前記画像情報を一定時間毎に切替えながら前記表示手段への表示を制御する表示制御手段を備えた表示端末装置において、画像情報に付加して表示する情報である表示情報と、表示情報に対応付けられた画像情報を取得する。また、画像情報を表示手段に表示中に、表示情報を再生表示し、画像情報に対応付けられた表示情報に基づいて表示情報を再生表示しながら表示手段に表示する画像情報を、別の画像情報に切替えるまでの切替時間を制御する。よって、画像情報に付加されている入力情報である表示情報を、表示中の画像情報に重ねて再生表示する場合、複数の画像情報と表示情報を、表示情報の入力条件に適した切替時間にて表示切替することができるので、利用者は複数の画像情報と表示情報を最適な条件で鑑賞することができる。
【００１４】
請求項２に係る発明の表示端末装置では、請求項１に記載の発明の効果に加え、表示情報は、利用者により入力された情報である入力情報と、入力情報を入力した時の時間情報とが対応付けられており、入力情報の入力が開始された時間から、入力が終了した時間までの間を入力処理時間とし、入力処理時間を切替時間とする。よって、利用者は、入力情報が入力された時の入力が開始されてから終了までの入力時間分の間、入力情報に対応する画像情報を表示することができるので、入力情報の再生表示が確実に終わるまで、対応する画像情報を鑑賞することができる。
【００１５】
請求項３に係る発明の表示端末装置では、請求項２に記載の発明の効果に加え、表示端末装置は入力処理時間が所定時間以上かどうかを判断し、入力処理時間が所定時間以上であると判断した場合、入力処理時間を切替時間とする。よって、入力情報の入力時間が所定時間以下の場合でも、短時間で画像情報が切替わること無く、利用者は確実に画像情報を鑑賞することができる。
【００１６】
請求項４に係る発明の表示端末装置では、請求項２乃至３のいずれかに記載の発明の効果に加え、利用者による手書きで入力された情報を表示情報として対応付けられた画像情報を取得する。よって、手書きにより入力された情報を表示情報として画像情報と同時に表示できるので、利用者は画像情報と手書きの入力情報である表示情報を最適な条件で鑑賞することができる。
【００１７】
請求項５に係る発明の表示端末装置では、請求項２乃至４のいずれかに記載の発明の効果に加え、表示情報を入力した時の時間情報に基づいて、表示情報が入力された順に表示手段に再生表示する。よって、表示情報が入力された順番通りに、利用者は表示情報の再生を鑑賞することができる。
【００１８】
請求項６に係る発明においては、画像情報を表示する表示領域を備えた表示手段と、複数の前記画像情報を一定時間毎に切替えながら前記表示手段への表示を制御する表示制御手段を備えた表示端末装置にて処理する画像表示制御方法であって、画像情報に付加して表示する情報である表示情報と、表示情報に対応付けられた画像情報を取得する。また、画像情報を表示手段に表示中に、表示情報を再生表示し、画像情報に対応付けられた表示情報に基づいて表示情報を再生表示しながら表示手段に表示する画像情報を、別の画像情報に切替えるまでの切替時間を制御する。よって、画像情報に付加されている入力情報である表示情報を、表示中の画像情報に重ねて再生表示する場合、複数の画像情報と表示情報を、表示情報の入力条件に適した切替時間にて表示切替することができるので、利用者は複数の画像情報と表示情報を最適な条件で鑑賞することができる。  
【００１９】
請求項７に係る発明においては、画像情報を表示する表示領域を備えた表示手段と、複数の前記画像情報を一定時間毎に切替えながら前記表示手段への表示を制御する表示制御手段を備えた表示端末装置を実行させる画像表示制御プログラムであって、画像情報に付加して表示する情報である表示情報と、表示情報に対応付けられた画像情報を取得する。また、画像情報を表示手段に表示中に、表示情報を再生表示し、画像情報に対応付けられた表示情報に基づいて表示情報を再生表示しながら表示手段に表示する画像情報を、別の画像情報に切替えるまでの切替時間を制御する。よって、画像情報に付加されている入力情報である表示情報を、表示中の画像情報に重ねて再生表示する場合、複数の画像情報と表示情報を、表示情報の入力条件に適した切替時間にて表示切替することができるので、利用者は複数の画像情報と表示情報を最適な条件で鑑賞することができる。
【図面の簡単な説明】
【００２０】
【図１】表示端末装置１０の概略構成図である。
【図２】表示端末装置１０の電気的構成図である。
【図３】フラッシュＲＯＭ２４の説明図である。
【図４】画像情報データベース２４１１の説明図である。
【図５】スライドショー情報データベース２４２１の説明図である。
【図６】表示端末装置１０の表示画面説明図である。
【図７】表示情報データベース２４３１の説明図である。
【図８】表示端末装置１０で実行されるメイン処理のフローチャート図である。
【図９】表示端末装置１０で実行される切替時間設定処理のフローチャート図である。
【図１０】切替時間情報データベース２４２２の説明図である。
【図１１】表示端末装置１０の表示画面説明図である。
【発明を実施するための形態】
【００２１】
以下、本発明を具体化した表示端末装置の実施の形態について、図面を参照して説明する。なお、これらの図面は、本発明が採用しうる技術的特徴を説明するために用いられるものであり、記載されている装置の構成、各種処理のフローチャートなどは、それのみに限定する趣旨ではなく、単なる説明例である。
【００２２】
まず、図１〜図２を参照して、本実施形態の表示端末装置１０の外観図、及び電気的構成について説明する。
【００２３】
図１を参照して、本実施形態の表示端末装置１０について説明する。図１に示すように、表示端末装置１０は、矩形状の筐体に画像情報を表示する為の表示手段１２が備えられている。また、表示手段１２には、利用者の指や備え付けのタッチペン１１により入力された位置情報を取得するタッチパネルが重ねて配置されている。
【００２４】
次に図２を参照して、表示端末装置１０の電気的構成について説明する。本実施形態の表示端末装置１０は、図２に示すように、ＣＰＵ２１、ＲＯＭ２２、ＲＡＭ２３、フラッシュＲＯＭ２４と、表示手段１２を構成する表示モニタ２６、タッチパネル２７と、さらに計時手段２８、通信手段２５を備えており、これらはすべてバスで相互に接続されている。
【００２５】
ＣＰＵ２１は、表示端末装置１０全体の制御を司る。ＲＯＭ２２は、表示端末装置１０の基本的な動作に必要なプログラムやそのための設定値等を記憶している。ＣＰＵ２１は、ＲＯＭ２２に記憶されたプログラムに従って、表示端末装置１０の動作を制御する。ＲＡＭ２３は、各種データを一時的に記憶するための記憶装置である。また、フラッシュＲＯＭ２４は、不揮発性の半導体メモリであり、後述する各種記憶エリアを備えている。
【００２６】
表示手段１２は、利用者が表示端末装置１０の各種操作を行うための操作画面や、他機器から取得した画像データ等を表示する表示モニタ２６と、前述の表示モニタ２６に重ねて配置された汎用的なタッチパネル２７で構成されている。利用者が表示手段１２を参照しながらタッチ入力すると、タッチパネル２７はタッチ入力された位置情報を取得することができる。また、計時手段２８は、現在時刻を提示する時計機能を備えた機器であり、上述のタッチパネルにより取得された位置情報に現在時刻情報を付与する機能も備えている。また、通信手段２５は、表示手段１２に表示する画像情報を、他の機器とインターネット３０を介して送受信するための機器である。
【００２７】
次に図３~５を参照して、フラッシュＲＯＭ２４の構成について説明する。フラッシュＲＯＭ２４は、画像情報記憶エリア２４１、スライドショー情報記憶エリア２４２、表示情報記憶エリア２４３等を含む各種記憶エリアで構成されている。画像情報記憶エリアには、他機器から取得した写真などの画像情報が、図４に示すような画像情報データベース２４１１として記憶されている。また、スライドショー情報記憶エリア２４２は、複数の画像情報を所定時間間隔で断続的に切替表示するスライドショーの情報が、図５に示すようなスライドショー情報データベース２４２１として記憶されている。また、表示情報記憶エリアには、後述する図７に示す表示情報データベース２４３１が記憶されている。
【００２８】
ここで図４を参照しながら、画像情報データベース２４１１について説明する。画像情報データベース２４１１は、画像ＩＤ、画像情報、表示情報、表示情報の入力時刻の項目が、対応付けて記憶されている。画像ＩＤの項目には、画像情報を識別する情報が数値情報で記憶されている。また画像ＩＤは、表示端末装置１０が画像情報を取得した時に、自動的に採番されるようになっている。画像情報の項目には、画像情報のファイル名が記憶されている。画像情報とは、例えば、ＪＰＥＧ（Ｊｏｉｎｔ  Ｐｈｏｔｏｇｒａｐｈｉｃ  Ｅｘｐｅｒｔｓ  Ｇｒｏｕｐ）、ＰＮＧ（Ｐｏｒｔａｂｌｅ  Ｎｅｔｗｏｒｋ  Ｇｒａｐｈｉｃｓ）、ＧＩＦ（Ｇｒａｐｈｉｃｓ  Ｉｎｔｅｒｃｈａｎｇｅ  Ｆｏｒｍａｔ）等のファイル形式の画像情報が、それぞれのファイル名に対応して記憶されている。また、表示情報の項目には、上述の画像情報に対して、ユーザが表示端末装置を操作して、入力した情報の識別情報が記号で記憶されている。表示情報についての詳細な説明は後述する。表示情報の入力時刻の項目には、表示情報が利用者により入力が開始された時刻の情報が記憶されている。ここで、具体的に説明すると、例えば、画像ＩＤが００２では、ファイル名ＢＢＢに対応した画像情報と、表示情報Ｂ１と、表示情報の入力時刻２００８／９／０１／１５：００が対応付けて記憶されている。画像ＩＤが００３についても同様であるが、画像ＩＤが００１と００４については、画像情報がそれぞれ、ＡＡＡ、ＤＤＤと対応付けて記憶されているが、表示情報と表示情報の入力時刻の情報は記憶されていないことを示している。
【００２９】
次に、図５を参照して、スライドショー情報データベース２４２１について説明する。スライドショー情報データベース２４２１は、スライドショーＩＤと、画像ＩＤの項目が対応付けて記憶されている。スライドショーＩＤは、スライドショーの情報を識別するための識別情報を記号で記憶されており、利用者により、複数の画像情報を選択してスライドショーを作成された時に自動的に採番されるようになっている。画像ＩＤの項目には、画像情報データベース２４１１に記憶されている複数の画像情報の中から、スライドショーとして表示するために選択された画像情報の画像ＩＤが記憶されている。例えば、スライドショーＩＤがＬ１では、画像ＩＤ００１、００２、００３、００４が対応付けて記憶されている。よって、利用者が表示端末装置１０を操作して、スライドショーＩＤがＬ１を選択すると、画像ＩＤが００１、００２、００３、００４に対応する画像情報と表示情報を、表示手段１２にスライドショーで表示することができる。
【００３０】
次に、図６、７を参照しながら、画像情報データベース２４１１に対応付けてられている表示情報について具体的に説明する。図６は、表示端末装置１０の表示手段１２に、画像情報データベース２４１１の画像ＩＤ００２のファイル名ＢＢＢに対応した画像情報と、それに対応する表示情報Ｂ１（Ｂ１Ａ、Ｂ１Ｂ）が同時に表示されている状態の表示画面説明図である。図６に示すように、表示情報Ｂ１（Ｂ１Ａ、Ｂ１Ｂ）は、写真等の画像情報に対して、利用者が記号や絵、またはコメント等の文字を、タッチパネルを用いて手書きで入力した情報である。また、上述の表示情報Ｂ１（Ｂ１Ａ、Ｂ１Ｂ）は、図７に示すように表示手段１２へ表示するための座標情報である表示情報データベース２４３１として、表示情報記憶エリア２４３に記憶されている。
【００３１】
ここで、図７を参照しながら表示情報データベース２４３１について詳細に説明をする。表示情報データベース２４３１は、表示情報名、Ｘ座標、Ｙ座標と入力時間の項目が対応付けて記憶されている。表示情報名の項目には、表示情報を識別するための情報名が記憶されている。Ｘ座標、Ｙ座標の項目には、対応する画像情報の表示領域での所定の基準位置、例えば、中心位置や左上角の位置を基準座標（０、０）として、タッチパネル２７に入力された表示情報の相対的な表示位置を示す情報が数値で所定時間間隔毎（例えば２００ｍｓ間隔）に記憶されている。また、入力時間の項目には、表示端末装置１０に備えられている計時手段２８により、入力を開始した時刻情報を基準として、Ｘ座標、Ｙ座標情報と対応付けて時刻：分：秒：ｍｓの情報で記憶されている。例えば、図７に示す様に、利用者により入力された表示情報Ｂ１は、Ｘ座標がｘｂ１、Ｙ座標がｙｂ１の位置にタッチ入力が開始された時を、００：００：００：０００としていることを示している。また、本実施形態での所定時間間隔である２００ｍｓ後の時間００：００：００：２００では、Ｘ座標がｘｂ２、Ｙ座標がｙｂ２の位置でタッチ入力されていることを示している。以後も所定時間間隔である２００ｍｓ毎に、利用者がタッチパネルに対して手書きで入力した座標情報が、表示情報データベース２４３１に記憶される。またさらに、図７に示す表示情報データベース２４３１では、本実施形態での表示情報Ｂ１の中のＢ１Ａが、Ｘ座標がｘｂ１〜ｘｂ１５１、Ｙ座標がｙｂ１〜ｙｂ１５１の情報で記憶され、また表示情報Ｂ１Ｂは、上述のＢ１Ａの後にＸ座標がｘｂ２００〜ｘｂ３５１、Ｙ座標がｙｂ２００〜ｙｂ３５１の情報で記憶されていることを示している。また、表示情報データベース２４３１において、利用者により表示情報Ｂ１が入力された入力時間は、入力が開始されてから、入力が終了した時間である００：００：０７：０００により、７秒間であることが算出できるようになっている。
【００３２】
以下に、図８を参照して、表示端末装置１０において実行されるメイン処理について説明する。図８に示すメイン処理は、ＲＯＭ２２に記憶されたプログラムに従って、ＣＰＵ２１が実行する処理である。
【００３３】
図８に示すメイン処理は、表示端末装置１０の電源がＯＮにされると開始される。まず初めに、ＣＰＵ２１は、スライドショーの選択指示があったかどうかを判断する（Ｓ１０１）。ここでは、利用者が表示端末装置１０を操作し、スライドショー情報データベース２４２１から、再生したいスライドショーのＩＤを指示入力したかどうかを判断する。ここでの指示入力方法についての詳細な説明は省略するが、例えば表示手段１２にスライドショーＩＤの選択画面を表示させ、利用者がタッチペン１１や指を用いて指示入力する等の入力方法を用いても良いし、または、直接スライドショーＩＤの番号を入力する等の方法を用いても良い。
【００３４】
そして、ステップＳ１０１の処理で、ＣＰＵ２１がスライドショーの選択指示が無いと判断した場合（Ｓ１０１：ＮＯ）、ステップＳ１０１に戻り、繰り返し処理が継続される。また、ステップＳ１０１の処理で、ＣＰＵ２１が、スライドショーの選択指示が有ったと判断した場合（Ｓ１０１：ＹＥＳ）、続いて切替時間設定処理を実行する（Ｓ１０２）。
【００３５】
ここで、図９を参照しながら切替時間設定処理について説明する。図９は切替時間設定処理のフローチャート図であり、まず初めにＣＰＵ２１は、選択したスライドショーに対応付けられている画像情報を抽出する処理を実行する（Ｓ２０１）。具体的には、図８のステップＳ１０１の処理にて選択されたスライドショーのＩＤをスライドショー情報データベース２４２１の中から特定し、対応する画像ＩＤの項目に記憶されている画像ＩＤの画像情報を、画像情報データベース２４１１から抽出する処理が実行される。例えば、本実施形態においてステップＳ１０１の処理で、利用者によりスライドショーＩＤがＬ１を選択された場合、スライドショー情報データベース２４２１参照して画像ＩＤの００１、００２、００３、００４が特定され、さらに画像情報データベース２４１１を参照して、画像ＩＤが００１、００２、００３、００４に対応する各種情報を抽出する。
【００３６】
そして次に、ＣＰＵ２１は、ステップＳ２０１で抽出した画像ＩＤについて、対応する表示情報が記憶されているかどうかを、画像情報データベース２４１１を参照して、判断する処理を実行する（Ｓ２０２）。そして、ステップＳ２０２の処理にて対応する表示情報が無いと判断した場合（Ｓ２０２：ＮＯ）、ＣＰＵ２１は切替時間を所定時間に設定する処理を実行し（Ｓ２０４）、次の抽出すべき画像情報が有るかどうかを判断する処理を実行する（Ｓ２０６）。
【００３７】
ここで、上述したステップＳ２０１、Ｓ２０２、Ｓ２０４、Ｓ２０６の処理について、本実施形態を用いて具体的に説明する。ステップＳ２０１の処理では、まず画像ＩＤ００１が抽出されたとすると、ＣＰＵ２１は画像情報データベース２４１１を参照して画像ＩＤ００１に対応する表示情報が記憶されていないと判断する（Ｓ２０２：ＮＯ）。そして、ステップＳ２０４の処理では、切替時間を所定時間（本実施形態では、例えば５秒とする）に設定し、図１０に示す切替情報データベース２４２２をＲＡＭ２３に一時作成保存する処理を行う。図１０に示す切替時間情報データベース２４２２は、画像ＩＤ、画像情報と、切替時間の項目を対応付けて記憶している。ここでいう切替時間とは、本実施形態での表示手段１２に表示する画像情報を、別の前記画像情報に切替えるまでの時間を示すものとする。よって、画像ＩＤが００１の場合は、切替時間が５秒と記憶される。そしてステップＳ２０４の処理の後、ステップＳ２０６の処理では、画像ＩＤ００１の次の画像ＩＤ００２が記憶されていることを判断し（Ｓ２０６：ＹＥＳ）、ステップＳ２０１へ戻る。
【００３８】
また、ステップＳ２０２（図９）の処理の説明に戻り、ステップＳ２０１で抽出された画像情報に表示情報が有ると判断した場合（Ｓ２０２：ＹＥＳ）、その表示情報の入力時間が所定時間以上（本実施形態では５秒）であるかどうかを判断する（Ｓ２０３）。そしてステップＳ２０３の処理で、ＣＰＵ２１は、入力時間が所定時間以上であると判断した場合（Ｓ２０３：ＹＥＳ）、その判断された入力時間を切替時間に設定する処理を実行し（Ｓ２０５）、次に抽出すべき画像情報が有るかどうかを判断する（Ｓ２０６）。または、ステップＳ２０３の処理で、入力時間が所定時間以下であると判断した場合（Ｓ２０３：ＮＯ）は、上述した処理と同様のステップＳ２０４が実行され、続いてステップＳ２０６の処理が実行される。
【００３９】
ここで、ステップＳ２０２〜Ｓ２０６の処理について、本実施形態を用いて具体的に説明をする。ステップＳ２０１の処理で、上述した画像情報ＩＤ００１の次の画像ＩＤ００２が抽出された場合、ステップＳ２０２の処理では、画像情報データベース２４１１（図４）を参照し、画像ＩＤ００２に対応する表示情報Ｂ１が有ると判断する（Ｓ２０２：ＹＥＳ）。そして次に、ステップＳ２０３の処理では、表示情報Ｂ１の入力時間を、Ｂ１に対応して記憶されている表示情報データベース２４３１の入力時間情報から、上述で説明したように入力時間７秒を算出し、本実施形態での所定時間である５秒以上であることを判断するので（Ｓ２０３：ＹＥＳ）、入力時間の７秒を画像ＩＤ００２の切替時間として切替時間情報データベース２４２２に記憶する（Ｓ２０３）。よって、画像ＩＤ００２のファイル名ＢＢＢに対応した画像情報の切替時間は、利用者により表示情報が入力された時間である７秒と設定される。
【００４０】
また、ステップＳ２０３の処理で、本実施例で該当する具体例は省略するが、入力情報の入力時間が所定時間である５秒以下と判断した場合（Ｓ２０３：ＮＯ）は、画像情報の切替時間が過度に短時間になってしまうのを防ぐために、切替時間は所定時間である５秒と設定される（Ｓ２０４）。
【００４１】
そして、ステップＳ２０４、またはステップＳ２０５の処理の後、スライドショー情報データベース２４２１を参照し、ステップＳ２０１で抽出された画像ＩＤの次の画像ＩＤが有るかどうかを判断する（Ｓ２０６）。本実施形態でのスライドショーＩＤがＬ１の場合では、画像ＩＤが００１〜００４まで順に抽出され後、次の画像情報が無いと判断し（Ｓ２０６：ＮＯ）、本処理である切替時間設定処理を終了する。
【００４２】
図８のメイン処理に戻り、ステップＳ１０２の切替時間設定処理が実行された後、ＣＰＵ２１は画像情報を表示する処理を実行する（Ｓ１０３）。ステップＳ１０３の処理では、スライドショー情報データベース２４２１を参照して、ステップＳ１０１の処理で選択指示されたスライドショーＩＤに対応する画像ＩＤを抽出し、表示手段１２へ表示する処理を実行する。具体的には、ステップＳ１０１でスライドショーＩＤのＬ１が選択指示されたので、スライドショーＩＤがＬ１に対応する最初の画像ＩＤ００１が特定され、画像情報データベース２４１１を参照して画像情報ＡＡＡを表示手段１２へ表示する（Ｓ１０３）。
【００４３】
そしてステップＳ１０３の後、表示している画像情報に対応する表示情報が有るかどうかを判断する（Ｓ１１０）。ステップＳ１１０の処理で、具体的には、画像情報データベース２４１１を参照し、ステップＳ１０３の処理にて表示している画像情報に対応した表示情報が記憶されているかどうかを判断する。本実施形態での画像ＩＤ００１の場合では、画像情報データベース２４１１には画像ＩＤ００１に対応する表示情報が記憶されていないので、ステップＳ１１０の処理では表示情報が無いと判断し（Ｓ１１０：ＮＯ）、ステップＳ１０５へ移行する。よって、表示画面には表示情報は何も再生表示されない。また、ステップＳ１１０の処理で、ＣＰＵ２１は、表示情報が有ると判断した場合は（Ｓ１１０：ＹＥＳ）、次に表示情報を再生表示する処理を実行する（Ｓ１０４）。続いてＣＰＵ２１は切替時間を経過したかどうかを判断する（Ｓ１０５）。
【００４４】
ステップＳ１０５について具体的に説明すると、ステップＳ１０３の処理にて画像ＩＤ００１を表示開始してから計時手段２８のタイマをスタートさせ、画像ＩＤ００１に対応する切替時間である５秒を、切替時間情報データベース２４２２から取得し、上述のタイマにて５秒を経過したかどうかを判断する（Ｓ１０５）。ＣＰＵ２１が切替時間を経過していないと判断した場合は（Ｓ１０５：ＮＯ）、経過するまで繰り返し処理が実行される。そして、ステップＳ１０５の処理にて、ＣＰＵ２１が画像ＩＤ００１の切替時間である５秒を経過したと判断した場合（Ｓ１０５：ＹＥＳ）、表示手段１２に次に表示すべき画像情報があるかどうかを判断する（Ｓ１０６）。そして次に表示すべき画像情報が有ると判断した場合は（Ｓ１０６：ＹＥＳ）、ステップＳ１０３の処理へ戻り、次に表示すべき画像情報に表示を切替え、その後のＳ１１０、Ｓ１０４〜Ｓ１０６の処理を同様に実行する。また、ステップＳ１０６の処理で次に表示すべき画像情報が無いと判断した場合（Ｓ１０６：ＮＯ）、本処理であるメイン処理は終了する。
【００４５】
ここで、上述で説明したメイン処理のステップＳ１０３〜Ｓ１０６の処理について、図１１の表示画面説明図を参照しながら、さらに具体的に説明する。図１１の（ａ）の表示画面の状態は、ステップＳ１０３の処理にて画像ＩＤ００１のファイル名ＡＡＡに対応する画像情報を表示している状態である。次に、画像ＩＤ００１に対応する表示情報は画像情報データベース２４１１に記憶されていないので、ステップＳ１１０の処理では表示情報が無いと判断されるので（Ｓ１１０：ＮＯ）、表示情報は何も再生表示されず、ステップＳ１０５の処理にて切替時間情報データベース２４２２からファイル名ＡＡＡに対応した画像情報に対応する切替時間の５秒を取得し、ファイル名ＡＡＡに対応した画像情報の表示開始から切替時間の５秒後まで表示を行う。そして、ステップＳ１０６の処理では、最初に表示しているファイル名ＡＡＡに対応した画像情報の画像ＩＤ００１の次に表示すべき画像情報があるかどうかを、スライドショー情報データベース２４２１を参照して、画像ＩＤ００２が記憶されていることを判断する（Ｓ１０６：ＹＥＳ）。
【００４６】
続いて、再度Ｓ１０３の処理に戻り、次に表示すべき画像ＩＤ００２に対応するファイル名ＢＢＢに対応した画像情報に表示を切替える処理を実行し（Ｓ１０３）、図１１の（ｂ）に示す様な表示画面に切替わる。続いて、ステップＳ１１０の処理では、画像情報データベース２４１１を参照すると、表示しているファイル名ＢＢＢに対応した画像情報に対応した表示情報Ｂ１が記憶されているので、表示情報が有ると判断し（Ｓ１１０：ＹＥＳ）、対応する表示情報データベース２４３１の座標情報に基づいて、図１１の（ｃ）に示す様に表示情報Ｂ１の一部のＢ１Ａを、表示しているファイル名ＢＢＢに対応した画像情報に重ねて再生表示する処理を実行する（Ｓ１０４）。図１１の（ｃ）は、表示情報Ｂ１Ａが再生表示された後の状態を示すものであるが、ここで言う再生表示とは、表示情報データベース２４１１に記憶されている座標情報に対応する表示位置に、所定時間間隔（本実施形態では２００ｍｓ間隔）で、表示情報が入力された順に表示追加していく処理のことを言う。よって、利用者は、ファイル名ＢＢＢに対応した画像情報の表示がされている間に、表示情報Ｂ１Ａが３秒間で入力された時の様子を再現するような再生表示で確認することができる。そしてさらに、ＣＰＵ２１は表示情報データベース２４３１の入力時間の情報を参照して、表示情報Ｂ１Ａの再生表示後から１秒後に、表示情報Ｂ１Ｂの再生表示を開始し、３秒間で再生表示を行う。よって、図１１の（ｄ）から（ｅ）の表示画面に示すように、ファイル名ＢＢＢに対応した画像情報の表示に重ねて、表示情報Ｂ１（Ｂ１Ａ、Ｂ１Ｂ）が再生表示される。
【００４７】
そして、ステップＳ１０５の処理では切替時間情報データベース２４２２を参照して、表示している画像ＩＤ００２に対応する切替時間である７秒を取得するので、ファイル名ＢＢＢに対応した画像情報を表示開始してから、表示情報Ｂ１の再生表示が完了した７秒後まで表示を行う。そしてステップＳ１０５の処理で７秒を経過したと判断した場合（Ｓ１０５：ＹＥＳ）、ステップＳ１０６の処理にて、次に表示すべき画像情報である画像ＩＤ００３のファイル名ＣＣＣに対応した画像情報を特定し、図１１の（ｆ）に示す様にファイル名ＣＣＣに対応した画像情報へ表示の切替え処理を実行する。図１１の（ｆ）以降の表示画面説明図は省略するが、上述で説明したステップＳ１０３以降の処理と同様に、ファイル名ＣＣＣに対応した画像情報に対応して記憶されている表示情報Ｃ１を再生表示し、切替時間である８秒間の表示を行い、次に表示すべき画像ＩＤ００４のファイル名ＤＤＤに対応した画像情報に表示が切替る処理が行われる。そしてファイル名ＤＤＤに対応した画像情報が５秒間表示された後の、ステップＳ１０６の処理では、スライドショー情報データベース２４２１に記憶しているスライドショーＩＤのＬ１に、次に表示すべき画像ＩＤが記憶されていないと判断するので（Ｓ１０６：ＮＯ）、メイン処理を終了する。
【００４８】
よって、上述で説明した本実施形態のメイン処理を実行することにより、利用者は、画像情報を表示手段へ表示している間に、画像情報に対応付けて記憶されている入力情報である表示情報を、入力された時の状態を再現するように再生表示しながら、複数の画像情報と表示情報を最適な条件で表示切替して鑑賞することができる。
【００４９】
なお、上述で説明した本実施形態に示される構成や処理は例示であり、各種の変形が可能なことはいうまでもない。例えば、図８に示すメイン処理でのステップＳ１０１では、スライドショーＩＤを選択し、表示する画像情報を特定するようにしているが、これに限るものではなく、ステップＳ１０１の処理を削除して、ステップＳ１０２の処理では、画像情報データベース２４１１に記憶されている画像情報の全てに対して行うようにしても良い。また、ステップＳ１０６にて、スライドショー情報データベース２４２１に、次に表示すべき画像情報が無いと判断した場合（Ｓ１０６：ＮＯ）、メイン処理を終了するとしているが、これに限るものではなく、ステップＳ１０６の処理にて次の画像が無いと判断した場合でも、最初の画像情報に戻って、繰り返し何度もステップＳ１０３以降の処理を実行するようにしても良い。
【符号の説明】
【００５０】
１０    表示端末装置
１１    タッチペン
１２    表示手段
３０    インターネット回線
Ｂ１Ａ  入力情報Ｂ１
ＢＩＢ  入力情報Ｂ１
【図１】
2011077613.tif 000003
【図２】
2011077613.tif 000004
【図３】
2011077613.tif 000005
【図４】
2011077613.tif 000006
【図５】
2011077613.tif 000007
【図６】
2011077613.tif 000008
【図７】
2011077613.tif 000009
【図８】
2011077613.tif 000010
【図９】
2011077613.tif 000011
【図１０】
2011077613.tif 000012
【図１１】
2011077613.tif 000013